(57)【要約】【課題】木組みの障子や襖のある開口部分の壁に対して、家人の行動に邪魔にならないように筋交いを施すことができ、木造家屋の木組に対する耐震強度の向上を図ることができる木造家屋の変角筋交い補強構造を提供する。【解決手段】  一方柱４の下端部に下部取付けプレート１１と他方柱４の上部に上部取付けプレート１２を固定し、一方柱４の上部に固定したリング９に途中を通した状態で筋交い用のワイヤーロープ１０の下端を下部取付けプレート１１と上端を上部取付けプレート１２に固定し、このワイヤーロープ１０を緊張状態で張設する。【選択図】図１
0003108890.tif 000002
【実用新案登録請求の範囲】
【請求項１】
一方柱の下端部と他方柱の上部間に、一方柱の上部に固定したリングに途中を通した状態で筋交い用のワイヤーロープを緊張状態で張設したことを特徴とする木造家屋の変角筋交い補強構造。
【請求項２】
隣接する柱における一方柱の下端部と他方柱の上部間に、一方柱の上部に固定したリングに途中を通した状態で筋交い用のワイヤーロープを緊張状態で張設し、同様に他方柱の下端部と一方柱の上部間に、他方柱の上部に固定したリングに途中を通した状態で筋交い用のワイヤーロープを緊張状態で張設し、両ワイヤーロープの上部で両側柱間の部分を交差状の配置にしたことを特徴とする木造家屋の変角筋交い補強構造。
【請求項３】
上記ワイヤーロープの柱に対する端部の固定は、柱に固定した取付けプレートの引き金具を介して行い、ワイヤーロープの途中を通すリングは、取付けプレートに取付けた緊張導入用ボルトの先端に設けられていることを特徴とする請求項１又は２に記載の木造家屋の変角筋交い補強構造。
【考案の詳細な説明】
【技術分野】
【０００１】  この考案は、木造家屋の耐震強度を向上させるため、間口方向や奥行き方向にワイヤーロープを用いて筋交いを施すようにした木造家屋の変角筋交い補強構造に関する。
【背景技術】
【０００２】  木造家屋において、地震による木組みの耐震強度を向上させる方法として、隣接する各柱間に筋交いを設けることが効果的である。
【考案の開示】
【考案が解決しようとする課題】
【０００３】  ところで、一般的に木造家屋においては、家の中心部は障子や襖が多く、間口方向の壁は少なくなっており、従って、木組みの耐震性を向上させるには、木組みの周壁だけでなくこのような間口方向の障子や襖の部分にも筋交いを導入することが望ましいが、実際にこのような部分に筋交いを設けることは、家人の行動に邪魔になり、生活に支障をきたすという問題がある。【０００４】  そこで、この考案の課題は、木組みの周壁だけでなく、障子や襖のある開口部分の壁に対しても、家人の行動に邪魔にならないように筋交いを施すことができ、木造家屋の木組に対する耐震強度の向上を図ることができる木造家屋の変角筋交い補強構造を提供することにある。
【課題を解決するための手段】
【０００５】  上記のような課題を解決するため、請求項１の考案は、一方柱の下端部と他方柱の上端部間に、一方柱の上端部に固定したリングに途中を通した状態で筋交い用のワイヤーロープを緊張状態で張設した構成を採用したものである。【０００６】  請求項２の考案は、隣接する柱における一方柱の下端部と他方柱の上部間に、一方柱の上部に固定したリングに途中を通した状態で筋交い用のワイヤーロープを緊張状態で張設し、同様に他方柱の下端部と一方柱の上部間に、他方柱の上部に固定したリングに途中を通した状態で筋交い用のワイヤーロープを緊張状態で張設し、両ワイヤーロープの上部で両側柱間の部分を交差状の配置にした構成を採用したものである。【０００７】  請求項３の考案は、請求項１又は２の考案において、上記ワイヤーロープの柱に対する端部の固定は、柱に固定した取付けプレートの引き金具を介して行い、ワイヤーロープの途中を通すリングは、取付けプレートに取付けた緊張導入用ボルトの先端に設けられている構成を採用したものである。この取付けプレートは、柱の上部と横物や梁に固定し、この取付けプレートにより、柱の上部や横物、梁が引き寄せられて固着する。
【考案の効果】
【０００８】  この考案によると、隣接する柱を変角型の筋交いとなるワイヤーロープで互に引き寄せあうことにより、柱と梁や欄間、鴨居が一体化し、このワイヤーロープによる筋交いによって、木造家屋の木組に対する耐震強度の向上を図ることができる。【０００９】  また、柱間に張設したワイヤーロープは、伏倒Ｌ字状の配置となって両柱間の上部で交差状になるので、障子や襖のある開口部分の壁に対して、ワイヤーロープの両柱間の部分を頭上よりも高い位置に配置することができ、従って、開口のある壁に対しても家人の行動に邪魔にならないように筋交いを施すことができ、生活に支障をきたすことなく木造家屋に耐震補強を導入することができる。
【考案を実施するための最良の形態】
【００１０】  以下、この考案の実施の形態を添付図面に基づいて説明する。【００１１】  図２は、木造家屋の一例として田の字型家屋の概略的な平面形状を示し、その木組みは、周壁１部分と内部仕切り壁２によって構成され、図１は内部仕切り壁２として襖３や障子によって開閉する開口壁を示し、四枚戸の場合は、両側の柱４間に四枚の襖３を配置し、その内の中央二枚が左右に開閉して通路となり、また、二枚戸の場合は両側柱４間に二枚の襖３を配置し、その何れか一枚が開閉して通路となる。【００１２】  上記開口壁は、図１の場合、柱４間の下部に敷居５を設け、上部に鴨居６と欄間７又は壁及び梁８等の横物を設けて構成されている。【００１３】  上記のような開口壁に対して施す変角筋交い補強構造は、四枚戸の場合、隣接する柱４における一方柱４の下端部と他方柱４の上部位置の間に、一方柱４の上部で欄間７の位置に固定したリング９に途中を通した状態で筋交い用のワイヤーロープ１０を緊張状態で張設し、同様に他方柱４の下端部と一方柱４の上部位置の間に、他方柱４の上部で欄間７の位置に固定したリング９に途中を通した状態で筋交い用のワイヤーロープ１０をそれぞれ緊張状態で張設し、両ワイヤーロープ１０を伏倒Ｌ字状の配置とし、両ワイヤーロープ１０の上部で両側柱４間の部分を、襖３の開閉によって形成される通路の上部位置で交差状の配置にしている。【００１４】  また、上記開口壁に対して施す変角筋交い補強構造は、二枚戸の場合、一方柱４の下端部と他方柱４の上部間に、一方柱４の上部で欄間７の位置に固定したリング９に途中を通した状態で筋交い用のワイヤーロープ１０を緊張状態で張設し、ワイヤーロープ１０を伏倒Ｌ字状の配置とし、このワイヤーロープ１０の上部で両側柱４間の部分を、襖３の開閉によって形成される通路の上部位置に配置している。【００１５】  上記変角筋交い補強構造において、柱４の下端部に対してワイヤーロープ１０の下端部を固定するため、柱４にボルトや釘等の締結具で下部取付けプレート１１を固定し、この取付けプレート１１に設けたターンバックルやボルト等の引き金具にワイヤーロープ１０の下端部を結合し、ワイヤーロープ１０に緊張力を導入することができるようになっている。【００１６】  また、ワイヤーロープ１０の上端を柱４や横物、梁に固定するため、図１と３のように、柱４の上部で欄間７の上方位置に、ボルトや釘等の締結具で上部取付けプレート１２を固定し、この取付けプレート１２に設けたターンバックルやボルト等の引き金具にワイヤーロープ１０の上端部を結合するようにしている。【００１７】  更に、ワイヤーロープ１０の途中を柱４の上部に接続し、ワイヤーロープ１０を伏倒Ｌ字状の配置にするため、上記した上部取付けプレート１２に接続筒１３を傾斜状の配置で固定し、この接続筒１３に緊張導入用のボルト１４を挿入し、このボルト１４の先端にワイヤーロープ１０の途中を挿通するリング９を設け、ボルト１４に螺合したナット１５の締め付けによって、隣接する柱４の下端部と上部間に両端を固定したワイヤーロープ１０に途中の位置で緊張力を導入することができるようになっている。【００１８】  この考案の変角筋交い補強構造は、上記のような構成であり、木造家屋の内部仕切り壁２において、襖が四枚戸の場合は、隣接する柱４における下端部に下部取付けプレート１１と上部で欄間７の上方位置に上部取付けプレート１２をそれぞれ固定し、柱４の下部取付けプレート１１に下端を結合したワイヤーロープ１０をその柱４の上部に固定した上部取付けプレート１２のリング９に挿通し、上端を相手柱４の上部取付けプレート１２に結合し、伏倒Ｌ字状の配置となる二本のワイヤーロープ１０を組み合わせ、両ワイヤーロープ１０に緊張力を導入することにより、両側の柱４を互に引き寄せ、両ワイヤーロープ１０の上部で両側柱４間の部分を、襖３の開閉によって形成される通路の上部位置で交差状の配置とする。【００１９】  これによって、隣接する柱４を伏倒Ｌ字状の配置となる変角型の筋交いであるワイヤーロープ１０で互に引き寄せあうことにより、柱４と梁８や欄間７、鴨居６等の横物が一体化し、このワイヤーロープ１０による筋交いによって、木造家屋の木組に対する耐震強度の向上を図ることができると共に、柱４間に張設したワイヤーロープ１０は、両柱４間の上部で欄間７の位置において交差状の配置になるので、障子や襖３のある開口部分の壁に対して、ワイヤーロープ１０の両柱４間の部分を頭上よりも高い位置に配置することができ、従って、開口のある壁に対して家人の行動に邪魔にならないように筋交いを施すことができ、生活に支障をきたすことはない。【００２０】  また、襖３が二枚戸の場合は、隣接する柱４における一方柱４の下端部と上部で欄間７の上方の位置のそれぞれに取付けプレート１１と１２を固定し、この柱４の下部取付けプレート１１に下端を結合したワイヤーロープ１０をその柱４の上部に固定した上部取付けプレート１２のリング９に挿通し、上端を隣接柱４の上部取付けプレート１２に結合し、ワイヤーロープ１０に緊張力を導入することにより、両側の柱４を互に引き寄せ、伏倒Ｌ字状の配置となるワイヤーロープ１０の上部で両側柱４間の部分を、襖の開閉によって形成される通路の上部に位置させた配置とする。【００２１】  この場合も、隣接する柱４を変角型の筋交いとなるワイヤーロープ１０で互に引き寄せあうことにより、柱４と梁８や欄間７、鴨居６が一体化し、このワイヤーロープ１０による筋交いによって、木造家屋の木組に対する耐震強度の向上を図ることができると共に、柱４間に張設したワイヤーロープ１０は、障子や襖３のある開口部分の壁に対して、ワイヤーロープ１０の両柱４間の部分を頭上よりも高い欄間７の位置に配置することができ、従って、開口のある壁に対して家人の行動に邪魔にならないように筋交いを施すことができ、生活に支障をきたすことはない。【００２２】  なお、変角筋交い補強構造は、図示のような、木造家屋の内部仕切り壁２だけでなく、開口のない壁や周囲の壁の補強にも当然ながら採用することができ、構造が簡単で施工も容易であり、木造家屋自体に特別な加工を施す必要がないので、既存の木造家屋における耐震補強として、極めて有用である。
【図面の簡単な説明】
【００２３】
【図１】  変角筋交い補強構造の施工状態を示す正面図
【図２】  木造家屋の例として田の字型家屋の概略的な木組みを示す平面図
【図３】  図１中の丸で囲んだＡ部を拡大した上端取付けプレートの斜視図
【符号の説明】
【００２４】１        周壁
２        内部仕切り壁
３        襖
４        柱
５        敷居
６        鴨居
７        欄間
８        梁
９        リング
１０      ワイヤーロープ
１１      下部取付けプレート
１２      上部取付けプレート
【図１】
0003108890.tif 000003
【図２】
0003108890.tif 000004
【図３】
0003108890.tif 000005